【事件の表示】
　特許第６５５９７１５号発明「多層フィルム」の特許異議申立事件について、次のとおり決定する。
【結　論】
　特許第６５５９７１５号の特許請求の範囲を訂正請求書に添付された訂正特許請求の範囲のとおり、訂正後の請求項〔１〜１６〕について訂正することを認める。
　特許第６５５９７１５号の請求項１ないし１６に係る特許を維持する。
【理　由】
第１　手続の経緯
　特許第第６５５９７１５号（以下「本件特許」という。）の請求項１〜１６に係る特許についての出願は、２０１６年１月２８日〔優先権主張　平成２７年１月２８日（ＪＰ）日本国〕を国際出願日とする特願２０１６−５７２１４４として特許出願されたものであって、令和元年７月２６日に特許権の設定登録がされ、令和元年８月１４日に特許掲載公報が発行され、その請求項１〜１６に係る発明の特許に対し、令和２年２月７日に打揚洋次（以下「特許異議申立人」という。）により、特許異議の申立てがされたものである。
　特許異議の申立て後の手続の経緯は次のとおりである。
　令和２年　４月２２日付け　取消理由通知
　　　同年　６月２６日　　　意見書・訂正請求書（特許権者）
　　　同年　７月　１日付け　訂正請求があった旨の通知
　なお、特許異議申立人は、上記訂正請求があった旨の通知に対して、指定した期間内に何ら応答していない。
　
第２　訂正の適否
１．訂正の内容
　令和２年６月２６日付けの訂正請求による訂正（以下「本件訂正」という。）の趣旨は『特許第６５５９７１５号の特許請求の範囲を本訂正請求書に添付した訂正特許請求の範囲のとおり、訂正後の請求項１〜１６について訂正することを求める。』というものであり、その内容は、以下の訂正事項１及び２からなるものである（なお、訂正箇所に下線を付す。）。
　
（１）訂正事項１
　訂正前の請求項１に「芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物からなる接着層と、１１０〜１６０℃の任意の温度における弾性率が２〜６００ＭＰａである非晶性樹脂からなる基材層とを有し、前記非晶性樹脂のガラス転移温度より５℃低い温度における破断伸度が１６０％以上である多層フィルム。」とあるのを、
　訂正後の請求項１で「芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物からなる接着層と、１１０〜１６０℃の任意の温度における弾性率が２〜６００ＭＰａである非晶性樹脂からなる基材層とを有し、前記非晶性樹脂のガラス転移温度より５℃低い温度における破断伸度が１６０％以上であ
り、
　
前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、
　
熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する、
　
三次元形状を有する被着体に接着するための
　請求項１の記載を直接又は間接的に引用する請求項３〜１６も同様に訂正する。
　
（２）訂正事項２
　訂正前の請求項２に「前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、
　熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する、請求項１に記載の多層フィルム。」とあるのを、
　訂正後の請求項２で「
芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物からなる接着層と、１１０〜１６０℃の任意の温度における弾性率が２〜６００ＭＰａである非晶性樹脂からなる基材層とを有し、前記非晶性樹脂のガラス転移温度より５℃低い温度における破断伸度が１６０％以上であり、
　前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、
　熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する、
　
三次元曲面を有する物品に対して被覆成形するための
　請求項２の記載を直接又は間接的に引用する請求項３〜１２及び１４〜１６も同様に訂正する。
　
（３）一群の請求項について
　訂正事項１及び２に係る訂正前の請求項１〜１６について、その請求項２〜１６はいずれも請求項１を直接又は間接的に引用しているものであるから、訂正前の請求項１〜１６に対応する訂正後の請求項１〜１６は特許法第１２０条の５第４項に規定される一群の請求項である。
　したがって、訂正事項１及び２による本件訂正は、特許法第１２０条の５第４項に規定する一群の請求項に対してなされたものである。
　
２．訂正の適否
（１）訂正事項１について
ア．訂正の目的
　訂正事項１は、訂正前の請求項１の記載に「前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する、三次元形状を有する被着体に接着するための」との記載を追加することにより、訂正前の請求項１に記載された「多層フィルム」の技術的範囲を更に限定するものであるから、特許法第１２０条の５第２項第１号に掲げる「特許請求の範囲の減縮」を目的とするものに該当する。
　
イ．特許請求の範囲の拡張又は変更の存否
　訂正事項１は、上記ア．に示したように「特許請求の範囲の減縮」のみを目的とするものであるから、実質上特許請求の範囲を拡張し、又は変更するものではなく、特許法第１２０条の５第９項で準用する同法第１２６条第６項の規定に適合する。
　
ウ．新規事項の有無
　訂正事項１は、訂正前の請求項２の記載及び本件特許明細書の段落０００３の「三次元形状を有する被着体に加飾フィルムを接着する方法」との記載に基づいて導き出されるものであるから、願書に添付した明細書又は特許請求の範囲に記載した事項の範囲内においてしたものであり、特許法第１２０条の５第９項で準用する同法第１２６条第５項の規定に適合する。
　
（２）訂正事項２ついて
ア．訂正の目的
　訂正事項２は、訂正前の請求項１を引用する請求項２の従属形式での記載を、請求項１を引用しない独立形式での記載に改めるとともに、新たに「三次元曲面を有する物品に対して被覆成形するための」との記載を追加することにより、訂正前の請求項２に記載された「多層フィルム」の技術的範囲を更に限定するものであるから、特許法第１２０条の５第２項第４号に掲げる「他の請求項の記載を引用する請求項の記載を当該他の請求項の記載を引用しないものとすること。」及び同項第１号に掲げる「特許請求の範囲の減縮」を目的とするものに該当する。
　
イ．特許請求の範囲の拡張又は変更の存否
　訂正事項２は、上記ア．に示したように「他の請求項の記載を引用する請求項の記載を当該他の請求項の記載を引用しないものとすること。」及び「特許請求の範囲の減縮」のみを目的とするものであるから、実質上特許請求の範囲を拡張し、又は変更するものではなく、特許法第１２０条の５第９項で準用する同法第１２６条第６項の規定に適合する。
　
ウ．新規事項の有無
　訂正事項２は、訂正前の請求項２の記載及び本件特許明細書の段落０００７の「三次元曲面を有する物品に対して被覆成形性がよく成形加工が行いやすいフィルムが求められている。」との記載に基づいて導き出されるものであるから、願書に添付した明細書又は特許請求の範囲に記載した事項の範囲内においてしたものであり、特許法第１２０条の５第９項で準用する同法第１２６条第５項の規定に適合する。
　
３．まとめ
　以上総括するに、訂正事項１及び２による本件訂正は、特許法第１２０条の５第２項ただし書第１号及び第４号に掲げる事項を目的とするものであり、かつ、同条第９項において準用する同法第１２６条第５項から第６項までの規定に適合するので、訂正後の請求項〔１〜１６〕について訂正を認める。 
　
第３　本件発明
　上記「第２」のとおり本件訂正は容認し得るものであるから、本件訂正による訂正後の請求項１〜１６に係る発明は、その特許請求の範囲の請求項１〜１６に記載された次の事項により特定されるとおりのものである。
「　【請求項１】
　芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物からなる接着層と、１１０〜１６０℃の任意の温度における弾性率が２〜６００ＭＰａである非晶性樹脂からなる基材層とを有し、前記非晶性樹脂のガラス転移温度より５℃低い温度における破断伸度が１６０％以上であ
り、
　
前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、
　
熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する、
　
三次元形状を有する被着体に接着するための
　　【請求項２】
　
芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物からなる接着層と、１１０〜１６０℃の任意の温度における弾性率が２〜６００ＭＰａである非晶性樹脂からなる基材層とを有し、前記非晶性樹脂のガラス転移温度より５℃低い温度における破断伸度が１６０％以上であり、
　前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、
　熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する、
　
三次元曲面を有する物品に対して被覆成形するための
　　【請求項３】
　前記基材層における非晶性樹脂は、メタクリル系樹脂（Ｆ）および弾性体（Ｒ）を含むアクリル系樹脂からなり、
　メタクリル系樹脂（Ｆ）は、メタクリル酸メチルに由来する構造単位を８０質量％以上有し、
　メタクリル系樹脂（Ｆ）と弾性体（Ｒ）との合計１００質量部に対して、メタクリル系樹脂（Ｆ）が１０〜９９質量部であり、弾性体（Ｒ）が９０〜１質量部である、請求項１または２に記載の多層フィルム。
　　【請求項４】
　前記弾性体（Ｒ）は、メタクリル酸エステルに由来する構造単位を含むメタクリル酸エステル重合体ブロック（ｇ１）およびアクリル酸エステルに由来する構造単位を含むアクリル酸エステル重合体ブロック（ｇ２）を其々独立に、一分子中に１又は複数有し、かつ、メタクリル酸エステル重合体ブロック（ｇ１）を１０〜８０質量％、アクリル酸エステル重合体ブロック（ｇ２）を９０〜２０質量％の割合で含み、
　メタクリル系樹脂（Ｆ）の重量平均分子量Ｍｗ（Ｆ）、ブロック共重合体（Ｇ）に含まれる一分子中のメタクリル酸エステル重合体ブロック（ｇ１）の重量平均分子量Ｍｗ（ｇ１−ｔｏｔａｌ）、およびブロック共重合体（Ｇ）に含まれる一分子中のアクリル酸エステル重合体ブロック（ｇ２）の重量平均分子量Ｍｗ（ｇ２−ｔｏｔａｌ）としたときに、
　（１）　０．３≦Ｍｗ（Ｆ）／Ｍｗ（ｇ１−ｔｏｔａｌ）≦４．０
　（２）　３０，０００≦Ｍｗ（ｇ２−ｔｏｔａｌ）≦１４０，０００
である、請求項３に記載の多層フィルム。
　　【請求項５】
　前記アクリル酸エステル重合体ブロック（ｇ２）が、アクリル酸アルキルエステルに由来する構造単位５０〜９０質量％および（メタ）アクリル酸芳香族エステルに由来する構造単位５０〜１０質量％を含む、請求項４に記載の多層フィルム。
　　【請求項６】
　前記弾性体（Ｒ）が、メタクリル酸メチル８０質量％以上を含む外層（ｅ１）ならびにアクリル酸アルキルエステル７０〜９９．８質量および架橋性単量体０．２〜３０質量％を含む内層（ｅ２）を少なくとも有する多層構造体（Ｅ）である、請求項３に記載の多層フィルム。
　　【請求項７】
　前記熱可塑性重合体組成物がさらに、極性基含有ポリオレフィン系共重合体（Ｃ）（但し、前記極性基含有ポリプロピレン系樹脂（Ｂ２）とは異なる）を含む、請求項１〜６のいずれかに記載の多層フィルム。
　　【請求項８】
　加飾フィルムである、請求項１〜７のいずれかに記載の多層フィルム。
　　【請求項９】
　前記基材層が、非晶性樹脂１００質量部に対して着色剤１〜１０質量部を混合してなる、請求項１〜８のいずれかに記載の多層フィルム。
　　【請求項１０】
　前記接着層の厚さに対する前記基材層の厚さの比が０．２〜５の範囲である、請求項１〜９のいずれかに記載の多層フィルム。
　　【請求項１１】
　全厚さが１０００μｍ未満である、請求項１〜１０のいずれかに記載の多層フィルム。
　　【請求項１２】
　前記基材層側の鉛筆硬度がＨＢ以上である、請求項１〜１１に記載の多層フィルム。
　　【請求項１３】
　芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物ならびに１１０〜１６０℃の任意の温度における弾性率が２〜６００ＭＰａである非晶性樹脂を共押出しする、請求項１に記載の多層フィルムの製造方法。
　【請求項１４】
　請求項１〜１２のいずれかに記載の多層フィルムおよび被着体を有する成形体。
　　【請求項１５】
　請求項１〜１２のいずれかに記載の多層フィルムおよび被着体をチャンバーボックスに収容する工程；
　前記チャンバーボックス内を減圧する工程；
　前記多層フィルムにより前記チャンバーボックス内を二分する工程；および
　前記被着体を有しない方のチャンバーボックス内の圧力を前記被着体を有する方のチャンバーボックス内の圧力よりも高くして前記被着体を前記多層フィルムで被覆する工程；
を有する成形体の製造方法。
　　【請求項１６】
　前記多層フィルムを１１０〜１６０℃の範囲まで加熱して軟化させる工程をさらに有する、請求項１５に記載の成形体の製造方法。」
　
第４　取消理由通知の概要
　本件訂正の直前に、当審が令和２年４月２２日付けで特許権者に通知した取消理由の要旨は、次のとおりである。
　
〔理由１〕本件特許の請求項１〜１６に係る発明は、特許請求の範囲の記載が下記の点で不備のため、特許法第３６条第６項第１号に適合するものではない。
　よって、本件特許の請求項１〜１６に係る発明に係る特許は、同法第３６条第６項の規定を満たさない特許出願に対してなされたものであり、同法第１１３条第１項第４号の規定により取り消されるべきものである。
　
（１）接着層の配合組成について
　本件特許の請求項２に記載された発明特定事項を具備しない範囲のものが、上記『接着層を有し、広い温度範囲で破断や皺がなく簡便に被着体に接着でき、三次元被覆成形性及び三次元被覆成形後の接着性に優れる真空成形に好適な多層フィルム、該多層フィルムの製造方法および該多層フィルムを用いる成形体の製造方法の提供』という課題を解決できると認識できる範囲にあるとはいえない。
　したがって、本件特許の請求項１及び３〜１６の記載にまで、特許を受けようとする発明を拡張ないし一般化できるとはいえない。
　
（２）用途について
　本１発明の「多層フィルム」は、例えば「三次元形状を有する被着体を接着するための多層フィルム」又は「三次元曲面を有する物品に対して被覆成形するための多層フィルム」に特定されることによって、上記『接着層を有し、広い温度範囲で破断や皺がなく簡便に被着体に接着でき、三次元被覆成形性及び三次元被覆成形後の接着性に優れる真空成形に好適な多層フィルム、該多層フィルムの製造方法および該多層フィルムを用いる成形体の製造方法の提供』という課題を解決できると認識できる範囲のものになると認められる。
　したがって、本件特許の請求項１及びその従属項の記載にまで、特許を受けようとする発明を拡張ないし一般化できるとはいえない。
　
第５　当審の判断
１．理由１（サポート要件）について
（１）接着層の配合組成について
　本件訂正の訂正事項１により、本件特許の請求項１及びその従属項に係る発明の発明特定事項として、請求項２に記載された発明特定事項が追加された。
　してみると、本件特許は、特許を受けようとする発明が発明の詳細な説明に記載された範囲のものではないとはいえず、特許法第３６条第６項第１号に適合するものではないとはいえない。
　
（２）用途について
　本件訂正の訂正事項１及び２により、独立形式で記載された請求項１に係る発明の用途が「三次元形状を有する被着体に接着するための」のものに限定され、独立形式で記載された請求項２に係る発明の用途が「三次元曲面を有する物品に対して被覆成形するための」のものに限定され、請求項１又は２を直接又は間接に引用する請求項３〜１６に係る発明の用途も同様に限定された。
　してみると、本件特許は、特許を受けようとする発明が発明の詳細な説明に記載された範囲のものではないとはいえず、特許法第３６条第６項第１号に適合するものではないとはいえない。
　
２．取消理由通知において採用しなかった特許異議申立理由について
（１）申立て理由１について
　特許異議申立人が主張する申立て理由１（実施可能要件）の要旨は「請求項１−１６」に係る発明の特許が「特許法第３６条第４項第１号（同法第１１３条第４号）」に違反するという理由であって、具体的には『本件明細書には、「非晶性樹脂のガラス転移温度よりも５℃低い温度における破断伸度が１６０％以上の多層フィルム」を得るためには、どのような「熱可塑性重合体組成物からなる接着層」と、どのような「１１０〜１６０℃の任意の温度における弾性率が２〜６００ＭＰａである非晶性樹脂からなる基材層」を用い、これらをどのように組み合わせて用いればよいのか、について全く記載されていない。』というものである。
　しかして、本件特許明細書の段落０１５６〜０１９２の【実施例】の欄には、実施例１〜１２の具体例が、その製造方法の詳細とともに記載され、独立形式で記載された請求項１及び２においては「前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する」という具体的な組成が発明特定事項として盛り込まれている。
　してみると、本件特許明細書の発明の詳細な説明には、本件特許の請求項１又は２に係る発明の「破断伸度」という機能・特性等で特定された「多層フィルム」について、その製造方法の詳細を開示した実施例１〜１２の具体例の記載がなされており、しかも、訂正後の請求項１及び２に係る発明は上記「具体的な組成」を発明特定事項としているので、当業者が本件特許の請求項１及び２並びにその従属項に係る発明の実施をするために過度の試行錯誤を要するとはいえない。
　したがって、本件特許の発明の詳細な説明の記載は、当業者が請求項１〜１６に係る発明の実施をすることができる程度に明確かつ十分に記載したものではないとはいえず、特許法第３６条第４項第１号に適合するものではないとはいえない。
　
（２）申立て理由２について
　特許異議申立人が主張する申立て理由２（サポート要件）の要旨は「請求項１、３−１６」に係る発明の特許が「特許法第３６条第６項第１号（同法第１１３条第４号）」に違反するという理由であって、対象とする請求項に請求項２が含まれていない。
　しかして、本件訂正の訂正事項１により、本件特許の請求項１及びその従属項に係る発明の発明特定事項として、請求項２に記載された発明特定事項が追加されたので、本件訂正後の発明はいずれも上記対象とされていない請求項２に係る発明あるいはこれをさらに限定した発明に該当するので、理由２は、理由があるとはいえない。
　したがって、本件特許の特許請求の範囲の記載は、特許を受けようとする発明が発明の詳細な説明に記載された範囲のものではないとはいえず、特許法第３６条第６項第１号に適合するものではないとはいえない。
　
第６　むすび
　以上のとおり、取消理由通知に記載した取消理由並びに特許異議申立人が申し立てた理由及び証拠によっては、訂正後の請求項１〜１６に係る発明の特許を取り消すことができない。
　また、他に訂正後の請求項１〜１６に係る発明の特許を取り消すべき理由を発見しない。
　よって、結論のとおり決定する。
【異議決定日】
令和２年１０月２０日（２０２０．１０．２０）
【訂正の要旨】
審決（決定）の【理由】欄参照。
（５７）【特許請求の範囲】
　【請求項１】
　芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物からなる接着層と、１１０〜１６０℃の任意の温度における弾性率が２〜６００ＭＰａである非晶性樹脂からなる基材層とを有し、前記非晶性樹脂のガラス転移温度より５℃低い温度における破断伸度が１６０％以上であ
り、
　
前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、
　
熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する、
　
三次元形状を有する被着体に接着するための
　【請求項２】
　
芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物からなる接着層と、１１０〜１６０℃の任意の温度における弾性率が２〜６００ＭＰａである非晶性樹脂からなる基材層とを有し、前記非晶性樹脂のガラス転移温度より５℃低い温度における破断伸度が１６０％以上であり、
　前記共役ジエン化合物単位を含有する重合体ブロック（ａ２）が、１，２−結合量および３，４−結合量が合わせて４０モル％以上であるイソプレン単位、ブタジエン単位またはイソプレン／ブタジエン単位を含有する重合体ブロックであって、
　熱可塑性重合体組成物が、前記熱可塑性エラストマー（Ａ）１００質量部に対して、ポリビニルアセタール樹脂（Ｂ１）及び／又は極性基含有ポリプロピレン系樹脂（Ｂ２）である接着付与成分（Ｂ）１０〜１００質量部を含有する、
　
三次元曲面を有する物品に対して被覆成形するため
　【請求項３】
　前記基材層における非晶性樹脂は、メタクリル系樹脂（Ｆ）および弾性体（Ｒ）を含むアクリル系樹脂からなり、
　メタクリル系樹脂（Ｆ）は、メタクリル酸メチルに由来する構造単位を８０質量％以上有し、
　メタクリル系樹脂（Ｆ）と弾性体（Ｒ）との合計１００質量部に対して、メタクリル系樹脂（Ｆ）が１０〜９９質量部であり、弾性体（Ｒ）が９０〜１質量部である、請求項１または２に記載の多層フィルム。
　【請求項４】
　前記弾性体（Ｒ）は、メタクリル酸エステルに由来する構造単位を含むメタクリル酸エステル重合体ブロック（ｇ１）およびアクリル酸エステルに由来する構造単位を含むアクリル酸エステル重合体ブロック（ｇ２）を其々独立に、一分子中に１又は複数有し、かつ、メタクリル酸エステル重合体ブロック（ｇ１）を１０〜８０質量％、アクリル酸エステル重合体ブロック（ｇ２）を９０〜２０質量％の割合で含み、
　メタクリル系樹脂（Ｆ）の重量平均分子量Ｍｗ（Ｆ）、ブロック共重合体（Ｇ）に含まれる一分子中のメタクリル酸エステル重合体ブロック（ｇ１）の重量平均分子量Ｍｗ（ｇ１−ｔｏｔａｌ）、およびブロック共重合体（Ｇ）に含まれる一分子中のアクリル酸エステル重合体ブロック（ｇ２）の重量平均分子量Ｍｗ（ｇ２−ｔｏｔａｌ）としたときに、
　（１）　０．３≦Ｍｗ（Ｆ）／Ｍｗ（ｇ１−ｔｏｔａｌ）≦４．０
　（２）　３０，０００≦Ｍｗ（ｇ２−ｔｏｔａｌ）≦１４０，０００である、請求項３に記載の多層フィルム。
　【請求項５】
　前記アクリル酸エステル重合体ブロック（ｇ２）が、アクリル酸アルキルエステルに由来する構造単位５０〜９０質量％および（メタ）アクリル酸芳香族エステルに由来する構造単位５０〜１０質量％を含む、請求項４に記載の多層フィルム。
　【請求項６】
　前記弾性体（Ｒ）が、メタクリル酸メチル８０質量％以上を含む外層（ｅ１）ならびにアクリル酸アルキルエステル７０〜９９．８質量および架橋性単量体０．２〜３０質量％を含む内層（ｅ２）を少なくとも有する多層構造体（Ｅ）である、請求項３に記載の多層フィルム。
　【請求項７】
　前記熱可塑性重合体組成物がさらに、極性基含有ポリオレフィン系共重合体（Ｃ）（但し、前記極性基含有ポリプロピレン系樹脂（Ｂ２）とは異なる）を含む、請求項１〜６のいずれかに記載の多層フィルム。
　【請求項８】
　加飾フィルムである、請求項１〜７のいずれかに記載の多層フィルム。
　【請求項９】
　前記基材層が、非晶性樹脂１００質量部に対して着色剤１〜１０質量部を混合してなる、請求項１〜８のいずれかに記載の多層フィルム。
　【請求項１０】
　前記接着層の厚さに対する前記基材層の厚さの比が０．２〜５の範囲である、請求項１〜９のいずれかに記載の多層フィルム。
　【請求項１１】
　全厚さが１０００μｍ未満である、請求項１〜１０のいずれかに記載の多層フィルム。
　【請求項１２】
　前記基材層側の鉛筆硬度がＨＢ以上である、請求項１〜１１に記載の多層フィルム。
　【請求項１３】
　芳香族ビニル化合物単位を含有する重合体ブロック（ａ１）および共役ジエン化合物単位を含有する重合体ブロック（ａ２）を有するブロック共重合体またはその水素添加物である熱可塑性エラストマー（Ａ）を含有する熱可塑性重合体組成物ならびに１１０〜１６０℃の任意の温度における弾性率が２〜６００ＭＰａである非晶性樹脂を共押出しする、請求項１に記載の多層フィルムの製造方法。
　【請求項１４】
　請求項１〜１２のいずれかに記載の多層フィルムおよび被着体を有する成形体。
　【請求項１５】
　請求項１〜１２のいずれかに記載の多層フィルムおよび被着体をチャンバーボックスに収容する工程；
　前記チャンバーボックス内を減圧する工程；
　前記多層フィルムにより前記チャンバーボックス内を二分する工程；および
　前記被着体を有しない方のチャンバーボックス内の圧力を前記被着体を有する方のチャンバーボックス内の圧力よりも高くして前記被着体を前記多層フィルムで被覆する工程；
　を有する成形体の製造方法。
　【請求項１６】
　前記多層フィルムを１１０〜１６０℃の範囲まで加熱して軟化させる工程をさらに有する、請求項１５に記載の成形体の製造方法。